(57)【要約】【課題】本発明の課題は、機器のサイズを大きくすることなしに、画像の撮像及び投影が可能な撮像装置を提供することである。【解決手段】本発明に係る撮像装置（１）は、撮影レンズ（２４）を介して、被写体光像を撮像する撮像部（１２）と、前記撮影レンズを介して、当該撮影レンズの外部に再生画像を投影する投影部（２５）と、前記投影部から投影された再生画像を、前記撮影レンズに向けて反射する反射部材（１８）と、を備える。【選択図】図１
2013178395.tif 000002
【特許請求の範囲】
【請求項１】
撮影レンズを介して、被写体光像を撮像する撮像部と、
前記撮影レンズを介して、当該撮影レンズの外部に再生画像を投影する投影部と、
前記投影部から投影された再生画像を、前記撮影レンズに向けて反射する反射部材と、
を備えることを特徴とする撮像装置。
【請求項２】
請求項１に記載の撮像装置において、
前記撮像部により被写体光像を撮像する際に、前記反射部材を前記撮影レンズの光路上から退避させる退避機構を備えることを特徴とする撮像装置。
【請求項３】
請求項１又は２に記載の撮像装置において、
前記投影部を収容する内部空間を有し、前記投影部から投影された前記再生画像が通過する開口部が形成された筐体を備えることを特徴とする撮像装置。
【請求項４】
請求項３に記載の撮像装置において、
前記反射部材は、前記撮影レンズの光路上から退避したときに、前記筐体に形成された前記開口部を遮蔽することを特徴とする撮像装置。
【請求項５】
請求項４に記載の撮像装置において、
前記筐体は、前記撮像部の近傍に設けられていることを特徴とする撮像装置。
【請求項６】
請求項３〜５のいずれか一項に記載の撮像装置において、
前記筐体の内部から気体を排気する排気部を備えることを特徴とする撮像装置。
【請求項７】
請求項６に記載の撮像装置において、
前記排気部は、前記撮像部の近傍に滞留する気体を前記筐体の内部に向けて排気可能な第１排気部と、前記筐体の内部に滞留する気体を前記筐体の外部に向けて排気可能な第２排気部と、を備えることを特徴とする撮像装置。
【請求項８】
請求項７のいずれか一項に記載の撮像装置において、
前記筐体は、前記投影部が収容されると共に、当該投影部を内部空間から遮断する副筐体を備えることを特徴とする撮像装置。
【請求項９】
請求項８に記載の撮像装置において、
前記副筐体は、前記第１排気部と前記第２排気部との間に形成された排気通路に設けられていることを特徴とする撮像装置。
【請求項１０】
請求項１〜９のいずれか一項に記載の撮像装置において、
使用者の操作入力を取得する操作入力取得手段と、
前記操作入力取得手段において撮影モードへの切り替えを指示する操作入力を取得した場合には、前記撮像部による被写体光像の撮像を制御し、前記操作入力取得手段において投影モードへの切り替えを指示する操作入力を取得した場合には、前記投影部による再生画像の投影を制御する制御部と、
を備えることを特徴とする撮像装置。
【請求項１１】
請求項１０に記載の撮像装置において、
前記制御部は、前記操作入力取得手段において投影モードへの切り替えを指示する操作入力を取得した場合には、前記撮影レンズを所定の焦点距離に調節することを特徴とする撮像装置。
【請求項１２】
請求項１０又は１１に記載の撮像装置において、
前記撮影レンズは、通過する光束の光量を調節する絞り機構を備え、
前記制御部は、前記操作入力取得手段において投影モードへの切り替えを指示する操作入力を取得した場合には、前記撮影レンズを通過する光束が所定の光量となるように前記絞り機構を制御することを特徴とする撮像装置。
【請求項１３】
請求項１〜１２のいずれか一項に記載の撮像装置において、
前記撮像部は、撮像用の画素と、焦点検出用の画素と、を備えることを特徴とする撮像装置。
【請求項１４】
請求項１〜１３のいずれか一項に記載の撮像装置において、
前記撮影レンズを有するレンズ鏡筒を装着可能なマウント部を備え、
前記投影部は、再生画像を表示する画像表示部を備え、
前記撮像部と前記画像表示部とは、前記マウント部に対して互いに略共役な位置に配置されていることを特徴とする撮像装置。
【発明の詳細な説明】
【技術分野】
【０００１】
本発明は、デジタルカメラ等の撮像装置に関する。
【背景技術】
【０００２】
従来、画像を撮影する機能に加えて、撮影した画像を壁や天井等に投影するプロジェクタ機能を備えたカメラが提案されている（例えば、特許文献１参照）。
【先行技術文献】
【特許文献】
【０００３】
【特許文献１】特開２００７−２７１９２４号公報
【発明の概要】
【発明が解決しようとする課題】
【０００４】
上述した特許文献１のカメラは、カメラのボディに投影装置が外付け又は内蔵されている。この投影装置には、撮影光学系とは別の投影光学系が設けられている。このため、特許文献１のカメラでは、カメラのサイズが大きくなることが避けられない。
【０００５】
本発明の課題は、機器のサイズを大きくすることなしに、画像の撮像及び投影が可能な撮像装置を提供することにある。
【課題を解決するための手段】
【０００６】
本発明は、以下のような解決手段により前記課題を解決する。なお、理解を容易にするために、本発明の実施形態に対応する符号を付して説明するが、これに限定されるものではない。
請求項１に記載の発明は、撮影レンズ（２４）を介して、被写体光像を撮像する撮像部（１２）と、前記撮影レンズを介して、当該撮影レンズの外部に再生画像を投影する投影部（２５）と、前記投影部から投影された再生画像を、前記撮影レンズに向けて反射する反射部材（１８）と、を備えることを特徴とする撮像装置である。
請求項２に記載の発明は、請求項１に記載の撮像装置において、前記撮像部（１２）により被写体光像を撮像する際に、前記反射部材（１８）を前記撮影レンズ（２４）の光路上から退避させる退避機構（１７）を備えることを特徴とする。
請求項３に記載の発明は、請求項１又は２に記載の撮像装置において、前記投影部（２５）を収容する内部空間を有し、前記投影部から投影された前記再生画像が通過する開口部（２５ａ）が形成された筐体（１３、１３Ａ）を備えることを特徴とする。
請求項４に記載の発明は、請求項３に記載の撮像装置において、前記反射部材（１８）は、前記撮影レンズ（２４）の光路上から退避したときに、前記筐体（１３、１３Ａ）に形成された前記開口部（２５ａ）を遮蔽することを特徴とする。
請求項５に記載の発明は、請求項４に記載の撮像装置において、前記筐体（１３、１３Ａ）は、前記撮像部（１２）の近傍に設けられていることを特徴とする。
請求項６に記載の発明は、請求項３〜５のいずれか一項に記載の撮像装置において、前記筐体（１３、１３Ａ）の内部から気体を排気する排気部を備えることを特徴とする。
請求項７に記載の発明は、請求項６に記載の撮像装置において、前記排気部は、前記撮像部（１２）の近傍に滞留する気体を前記筐体（１３、１３Ａ）の内部に向けて排気可能な第１排気部（３１）と、前記筐体の内部に滞留する気体を前記筐体の外部に向けて排気可能な第２排気部（３２）と、を備えることを特徴とする。
請求項８に記載の発明は、請求項７のいずれか一項に記載の撮像装置において、前記筐体（１３、１３Ａ）は、前記投影部（２５）が収容されると共に、当該投影部を内部空間から遮断する副筐体（３３）を備えることを特徴とする。
請求項９に記載の発明は、請求項８に記載の撮像装置において、前記副筐体（３３）は、前記第１排気部（３１）と前記第２排気部（３２）との間に形成された排気通路（３８）に設けられていることを特徴とする。
請求項１０に記載の発明は、請求項１〜９のいずれか一項に記載の撮像装置において、使用者の操作入力を取得する操作入力取得手段（１０４）と、前記操作入力取得手段において撮影モードへの切り替えを指示する操作入力を取得した場合には、前記撮像部（１２）による被写体光像の撮像を制御し、前記操作入力取得手段において投影モードへの切り替えを指示する操作入力を取得した場合には、前記投影部（２５）による再生画像の投影を制御する制御部（１０１、１０１Ａ）と、を備えることを特徴とする。
請求項１１に記載の発明は、請求項１０に記載の撮像装置において、前記制御部（１０１、１０１Ａ）は、前記操作入力取得手段（１０４）において投影モードへの切り替えを指示する操作入力を取得した場合には、前記撮影レンズ（２４）を所定の焦点距離に調節することを特徴とする。
請求項１２に記載の発明は、請求項１０又は１１に記載の撮像装置において、前記撮影レンズ（２４）は、通過する光束の光量を調節する絞り機構（２９）を備え、前記制御部（１０１、１０１Ａ）は、前記操作入力取得手段（１０４）において投影モードへの切り替えを指示する操作入力を取得した場合には、前記撮影レンズを通過する光束が所定の光量となるように前記絞り機構を制御することを特徴とする。
請求項１３に記載の発明は、請求項１〜１２のいずれか一項に記載の撮像装置において、前記撮像部（１２）は、撮像用の画素と、焦点検出用の画素と、を備えることを特徴とする。
請求項１４に記載の発明は、請求項１〜１３のいずれか一項に記載の撮像装置において、前記撮影レンズ（２４）を有するレンズ鏡筒（１１）を装着可能なマウント部（２７）を備え、前記投影部（２５）は、再生画像を表示する画像表示部（１６）を備え、前記撮像部と前記画像表示部とは、前記マウント部に対して互いに略共役な位置に配置されていることを特徴とする。
なお、符号を付して説明した構成は、適宜改良してもよく、また、少なくとも一部を他の構成物に代替してもよい。
【発明の効果】
【０００７】
本発明によれば、機器のサイズを大きくすることなしに、画像の撮像及び投影が可能な撮像装置を提供する。
【図面の簡単な説明】
【０００８】
【図１】第１実施形態におけるデジタルカメラ１の概略構成を示す断面図である。
【図２】第１実施形態におけるカメラ１の電気的な構成を示すブロック図である。
【図３】第１実施形態における投影ミラー駆動部１７及びその周辺部分の概略構成を示す斜視図である。
【図４】静止画撮影の撮影モードにおけるカメラ１の断面図である。
【図５】ライブビュー撮影の撮影モードにおけるカメラ１の断面図である。
【図６】投影モードにおけるカメラ１の断面図である。
【図７】第１実施形態において撮影モードと投影モードにおけるカメラＣＰＵ１０１の動作手順を示すフローチャートである。
【図８】第２実施形態におけるカメラ１Ａの概略構成を示す断面図である。
【図９】静止画撮影の撮影モードにおけるカメラ１Ａの断面図である。
【図１０】投影モードにおけるカメラ１Ａの断面図である。
【発明を実施するための形態】
【０００９】
以下、図面を参照して、本発明に係る撮像装置をデジタルカメラに適用した場合の実施形態について説明する。
＜第１実施形態＞
まず、本発明に係る撮像装置の第１実施形態について説明する。図１は、第１実施形態におけるデジタルカメラ１（以下、「カメラ」という）の概略構成を示す断面図である。図２は、第１実施形態におけるカメラ１の電気的な構成を示すブロック図である。図３は、投影ミラー駆動部１７及びその周辺部分の概略構成を示す斜視図である。
【００１０】
図１に示すように、第１実施形態のカメラ１は、カメラ本体１０と、レンズ鏡筒１１と、を備える。本実施形態のカメラ１は、カメラ本体１０に対してレンズ鏡筒１１が着脱自在に装着されるレンズ交換式の一眼レフデジタルカメラとして構成されている。
【００１１】
（カメラ本体１０の構成）
カメラ本体１０は、カメラマウント２７を備える。カメラマウント２７は、レンズ鏡筒１１を着脱自在に装着可能なカメラ本体１０側のマウント部である。一方、レンズ鏡筒１１は、レンズマウント２８を備える。レンズマウント２８は、カメラマウント２７に対して着脱自在に装着されるレンズ鏡筒１１側のマウント部である。
【００１２】
カメラ本体１０とレンズ鏡筒１１とは、カメラマウント２７及びレンズマウント２８により機械的に結合される。その際、カメラ本体１０とレンズ鏡筒１１とは、それぞれのマウント内に設けられた電極端子が接触することにより電気的に接続される。この接続により、カメラ本体１０とレンズ鏡筒１１との間には、制御信号通信ライン、データ信号通信ライン、及び電源ラインが形成される。
【００１３】
カメラ本体１０は、図１に示すように、撮像部としての撮像素子１２と、筐体１３と、反射部材としての投影ミラー１８と、メインミラー１９と、ペンタプリズム２０と、光学ファインダ２１と、を備える。また、カメラ本体１０は、後に電気的な構成において説明する投影ミラー駆動部１７と、メインミラー駆動部２６と、を備える。
【００１４】
撮像素子１２は、レンズ鏡筒１１の撮影レンズ２４（後述）を介して、被写体光像を撮像するイメージセンサである。本実施形態の撮像素子１２は、撮像用の画素と、焦点検出用の画素と、を備える（いずれも不図示）。このため、撮像素子１２では、位相差検出方式、コントラスト検出方式のいずれの方式でも焦点検出を行なうことができる。従って、本実施形態のカメラ本体１０は、一般的なデジタル一眼レフカメラに用いられる位相差検出方式のＡＦモジュールを内部に備えていない。撮像素子１２は、ＣＣＤ又はＣＭＯＳ等の固体撮像素子により構成される。
【００１５】
筐体１３は、投影部２５を収容するための箱枠形の容器である。筐体１３は、投影部２５を収容する内部空間を有する。また、筐体１３は、投影部２５から投影された再生画像が通過する開口部２５ａを有する。開口部２５ａは、略円形の孔である。筐体１３は、カメラ本体１０の底面部に配置されている。
【００１６】
筐体１３は、撮像素子１２の近傍に設けられている。筐体１３には、断面略Ｌ字形の支持板３０が設けられている。撮像素子１２は、支持板３０に取り付けられている。また、筐体１３の底面部には、投影部２５の光源１４（後述）が設けられている。
【００１７】
撮像素子１２は、撮像面（不図示）で撮像した被写体光像を液晶モニタ１０８（後述）にリアルタイムでライブビュー表示する場合や動画撮影時等において、多くの熱を発生する。同様に、光源１４も、再生画像を長時間投影した場合に、多くの熱を発生する。
【００１８】
筐体１３は、投影部２５を収容する役割のほか、撮像素子１２や光源１４で発生した熱を外部に放熱する役割を果たす。撮像素子１２で発生した熱は、支持板３０を介して筐体１３に伝えられ、筐体１３の底面部から外部に放熱される。同様に、光源１４で発生した熱は、筐体１３の底面部から外部に放熱される。筐体１３は、熱伝導性や遮音性に優れた金属部材により構成される。このような金属部材としては、例えば、アルミ材が挙げられる。支持板３０も、筐体１３と同様にアルミ材により構成される。
【００１９】
投影部２５は、撮影レンズ２４（レンズ鏡筒１１）を介して、撮影レンズ２４の外部に再生画像を投影する装置である。投影部２５は、光源１４と、集光光学系１５と、画像表示部としての液晶パネル１６と、を備える。
【００２０】
光源１４は、投影光を照射する投影用光源である。光源１４は、筐体１３の底面部に配置される。光源１４は、例えば、白色ＬＥＤにより構成される。
【００２１】
集光光学系１５は、光源１４から照射された投影光を略平行な光に変換する光学部材である。光源１４から照射された投影光は、集光光学系１５で略平行となり、液晶パネル１６に入射する。
【００２２】
液晶パネル１６は、再生画像を表示する表示装置である。液晶パネル１６は、例えば、透過型のカラー液晶パネルにより構成される。
【００２３】
撮像素子１２と液晶パネル１６とは、カメラマウント２７に対して互いに略共役な位置に配置されている。すなわち、カメラマウント２７のマウント面から液晶パネル１６の表示面までの光路長は、カメラマウント２７のマウント面から撮像素子１２の撮像面までの光路長と等しい。ここで、カメラマウント２７のマウント面から液晶パネル１６の表示面までの光路長とは、液晶パネル１６の表示面から投影された再生画像の光束が、投影位置に移動した投影ミラー１８の反射面で反射し、カメラマウント２７のマウント面に達するまでの距離である。
【００２４】
液晶パネル１６に表示された再生画像は、光源１４から照射された投影光が透過することにより、投影光像として外部に投影される。具体的には、液晶パネル１６に表示された再生画像は、光源１４から発せられた投影光が通過することにより投影光像となる。この投影光像は、筐体１３の開口部２５ａから出射し、投影位置に移動した投影ミラー１８の反射面で反射する。この反射により、投影光像の光路は９０°に折り曲げられ、撮影レンズ２４の光軸ＯＡに沿って外部に進行する。そして、投影光像は、レンズ鏡筒１１の撮影レンズ２４を介して、壁や天井等（不図示）に投影される。
【００２５】
上述したように、本実施形態のカメラ１では、撮影光学系となる撮影レンズ２４を投影光学系として使用することができる。このため、撮影レンズ２４の他に、投影光学系を設ける必要がない。また、撮影レンズ２４を投影光学系として使用するため、再生画像の焦点調節や撮影画角の調節を、レンズ鏡筒１１に設けられたフォーカスリングやズームリング（後述）により行うことができる。これによれば、投影光学系における個別の焦点調節や投影画角の調節機構が不要となる。
【００２６】
なお、集光光学系１５及び撮影レンズ２４には、周辺収差がある。このため、撮像素子１２と同じ大きさの液晶パネル１６を用いて再生画像を投影した場合には、投影した再生画像に歪を生じることが考えられる。そこで、液晶パネル１６のサイズを撮像素子１２よりも小さくすることにより、投影した再生画像における画質の低下をより少なくすることができる。
【００２７】
投影ミラー１８は、投影部２５から投影された再生画像を、撮影レンズ２４に向けて反射する反射部材である。投影ミラー１８は、撮影レンズ２４と対向する側に反射面（不図示）が形成されている。また、反射面と反対側の面は、反射防止のために黒のつや消し塗装（又は植毛処理）が施されている。
【００２８】
図１に示すように、投影ミラー１８は、投影位置（図中実線）又は退避位置（図中破線）に移動する。投影ミラー１８の位置は、退避機構としての投影ミラー駆動部１７（後述）により制御される。
【００２９】
メインミラー１９は、撮影レンズ２４を介して入射した被写体光像の光束を、ペンタプリズム２０の方向と、撮像素子１２の方向とに分割する光学部材である。メインミラー１９は、メインミラー駆動部２６（後述）により、観察位置（図中実線）又は退避位置（図中破線）に移動する。
【００３０】
メインミラー１９は、光学ファインダ２１（後述）を使用した撮影時には、被写体光像の光束をペンタプリズム２０と撮像素子１２とに分割する観察位置に移動する。また、メインミラー１９は、投影部２５による再生画像の投影時には、撮影レンズ２４の光軸ＯＡから外れた退避位置に移動する。メインミラー１９は、例えば、ハーフミラーにより構成される。メインミラー１９の移動は、メインミラー駆動部２６により制御される。
【００３１】
なお、光学ファインダ２１を使用した撮影時において、ペンタプリズム２０の方向に分割された被写体光像の輝度は、ペンタプリズム２０の近傍に設けられた測光センサ及び測光回路（不図示）により検出され、カメラＣＰＵ１０１へ送出される。
【００３２】
投影ミラー１８は、メインミラー１９が退避位置に移動したときには、投影位置に移動する。また、投影ミラー１８は、メインミラー１９が観察位置に移動するときには、退避位置に移動する。
【００３３】
ペンタプリズム２０は、観察位置にあるメインミラー１９から上方に分割された被写体光像（光束）を、光学ファインダ２１に導く光学部材である。ペンタプリズム２０に入射した被写体光像は、ペンタプリズム２０の内部で反射することにより光路が９０°に折り曲げられ、光学ファインダ２１に到達する。
【００３４】
光学ファインダ２１は、撮影モードにおいて、使用者が被写体光像を観察する光学部材である。使用者は、光学ファインダ２１を覗くことにより、ペンタプリズム２０で反射された被写体光像を正立像として観察することができる。
【００３５】
（レンズ鏡筒１１の構成）
図１に示すように、レンズ鏡筒１１は、撮影光学系としての撮影レンズ２４を備える。撮影レンズ２４は、フォーカスレンズ２２と、ズームレンズ２３と、を備える。フォーカスレンズ２２は、光軸ＯＡ方向に移動して、撮影レンズ２４の焦点距離を調節するレンズである。フォーカスレンズ２２は、レンズ鏡筒１１の外周部に設けられたフォーカスリング（不図示）と機械的に連結可能に構成されている。
【００３６】
使用者は、カメラ本体１０に設けられたフォーカスモードダイヤル（不図示）をマニュアルフォーカスに切り替えることにより、フォーカスリングを手動で操作して焦点距離を調節することができる。また、使用者は、上記フォーカスモードダイヤルをオートフォーカスに切り替えることにより、自動焦点調節を行なうことができる。
【００３７】
ズームレンズ２３は、光軸ＯＡ方向に移動して、撮影レンズ２４の焦点距離を変化させるレンズである。ズームレンズ２３は、レンズ鏡筒１１の外周部に設けられたズームリング（不図示）と機械的に連結可能に構成されている。
【００３８】
使用者は、カメラ本体１０に設けられたズームモードダイヤル（不図示）をマニュアルズームに切り替えることにより、ズームリングを手動で操作して焦点距離を変化させることができる。また、使用者は、上記ズームモードダイヤルをパワーズームに切り替えることにより、ズームボタン（不図示）を操作して焦点距離を変化させることができる。
【００３９】
また、レンズ鏡筒１１の内部には、絞り機構としての絞りユニット２９（図２）が設けられている。絞りユニット２９は、撮影レンズ２４を通過する被写体光（光束）の光量を調節する機構である。
【００４０】
（カメラ本体１０の電気的な構成）
次に、カメラ本体１０の電気的な構成を説明する。カメラ本体１０は、図２に示すように、制御部としてのカメラＣＰＵ１０１、撮影制御回路１０２、焦点検出演算回路１０３、操作入力取得手段としての操作部材１０４、外部メモリ１０５、スピーカ１０６、マイク１０７を備える。
【００４１】
カメラＣＰＵ１０１は、カメラ本体１０とレンズ鏡筒１１とを含むカメラ１を統括的に制御する制御手段である。カメラＣＰＵ１０１は、マイクロプロセッサにより構成されている。カメラＣＰＵ１０１は、プログラムメモリ（不図示）に記憶された制御プログラムに従って動作する。カメラＣＰＵ１０１は、制御プログラムに基づいて、カメラ本体１０の各部及びレンズＣＰＵ１１６（後述）から入力した信号に対する演算処理を実行し、カメラ本体１０の各部又はレンズＣＰＵ１１６へ制御信号を送出する。カメラＣＰＵ１０１は、例えば、レンズＣＰＵ１１６にフォーカス調節信号、ズーム調節信号、絞り調節信号等を送出する。
【００４２】
撮影制御回路１０２は、カメラＣＰＵ１０１から送出された撮影開始指示信号に応じて、撮像素子１２に撮像を開始させる。また、撮影制御回路１０２は、撮像の終了後に撮像素子１２から蓄積電荷信号を読み出し、画像データとしてカメラＣＰＵ１０１へ送出する。カメラＣＰＵ１０１は、撮影制御回路１０２から送出された画像データを焦点検出演算回路１０３に転送する。
【００４３】
焦点検出演算回路１０３は、カメラＣＰＵ１０１から送出された画像データに基づいてコントラスト評価値（コントラスト検出方式）を演算又はカメラＣＰＵ１０１から送出されたデフォーカス情報に基づいて位相差評価値（位相差検出方式）を演算することにより、合焦位置を特定する。焦点検出演算回路１０３において特定された合焦位置は、カメラＣＰＵ１０１に送出される。
【００４４】
操作部材１０４は、使用者の操作入力を取得する部材である。操作部材１０４は、例えば、レリーズボタン、各種のモード切り替えダイヤル等により構成される。操作部材１０４は、それぞれの操作入力の内容に応じた信号をカメラＣＰＵ１０１に送出する。例えば、使用者は、レリーズボタンを半押し操作することにより、カメラＣＰＵ１０１に対して、主要な被写体に合焦させる自動焦点調節制御や、適正な露出値を設定する自動露出調節制御を指示することができる。また、使用者は、レリーズボタンを全押し操作することにより、カメラＣＰＵ１０１に対して、撮像素子１２による撮像を指示することができる。また、使用者は、モード切り替えダイヤルを操作することにより、カメラ１の動作モードを切り替えることができる。すなわち、使用者は、モード切り替えダイヤルを操作することにより、カメラＣＰＵ１０１に対して、撮影モード（静止画撮影、動画撮影、ライブビュー撮影）、投影モード、再生モード等の切り替えを指示することができる。
【００４５】
外部メモリ１０５は、フラッシュメモリ等の不揮発性メモリにより構成される。外部メモリ１０５は、カメラＣＰＵ１０１からの指示に応じて、撮像された画像データや音声データの書き込み（保存）や読み出しを行なう。後述する投影モードにおいては、外部メモリ１０５に保存されている画像データが再生画像として外部に投影される。
【００４６】
スピーカ１０６は、カメラＣＰＵ１０１から出力される音声データに基づいて、音声を再生する。スピーカ１０６は、カメラ本体１０の背面（使用者側）に設けられている。
【００４７】
マイク１０７は、動画撮影時等において、集音した音声を音声データに変換してカメラＣＰＵ１０１に送出する集音装置である。音声データは、写真撮影時に画像データと共に外部メモリ１０５に保存される。本実施形態において、投影ミラー駆動部１７や投影部２５等の音源となる部材は、カメラ本体１０の下方に設けられている。とくに、投影部２５は、筐体１３の内部に収容されている。このため、マイク１０７の配置の自由度を高めることができる。
【００４８】
マイク１０７は、音源となる部材からなるべく離れたカメラ本体１０の上部に配置することが望ましい（例えば、ペンタプリズム２０の近傍）。このような場所に配置することにより、動画撮影時にノイズの少ない音声を録音することができる。
【００４９】
また、カメラ１は、図２に示すように、液晶モニタ１０８、外部インターフェース（Ｉ／Ｆ）１０９、投影制御回路１１０、投影ミラー駆動部１７、メインミラー駆動部２６、電源回路１１１、電池１１２、メモリ１１３、温度センサ１１４を備える。
【００５０】
液晶モニタ１０８は、カメラＣＰＵ１０１の指示に応じて、撮像素子１２で撮像された静止画像、動画像、ライブビュー画像のほか、テキスト情報等を表示する表示装置である。テキスト情報とは、カメラ１の動作状態や各種の操作メニュー等である。液晶モニタ１０８は、カメラ本体１０の背面（使用者側）に設けられている。
【００５１】
外部インターフェース１０９は、ビデオカメラ（不図示）等の外部機器から送信されたビデオ信号又は外部メモリ１０５に保存されているビデオ信号を、液晶モニタ１０８や液晶パネル１６（投影部２５）で表示可能な画像データに変換する。変換された画像データは、カメラＣＰＵ１０１に送出される。また、外部インターフェース１０９は、ビデオカメラ等の外部機器から送信された音声信号を、スピーカ１０６から再生可能な音声データに変換する。変換された画像データは、カメラＣＰＵ１０１に送出される。
【００５２】
投影制御回路１１０は、カメラＣＰＵ１０１から送出された画像データに応じて、パネル駆動信号を生成する。そして、投影制御回路１１０は、生成したパネル駆動信号により液晶パネル１６を駆動する。これにより、液晶パネル１６には、画像データに基づく再生画像が表示される。
【００５３】
また、投影制御回路１１０は、カメラＣＰＵ１０１から送出された投影指示信号に応じて、光源１４に駆動電流を供給する。光源１４は、駆動電流が供給されることにより点灯する。光源１４は、供給された駆動電流に応じた明るさの投影光を液晶パネル１６に照射する。液晶パネル１６に表示された再生画像に、光源１４から投影光が照射されることにより、投影部２５から再生画像が投影される。
【００５４】
投影ミラー駆動部１７は、カメラＣＰＵ１０１からの指示に応じて、投影ミラー１８を投影位置又は退避位置（図１参照）に移動する駆動装置である。投影ミラー駆動部１７は、筐体１３の近傍に設けられている。
【００５５】
ここで、投影ミラー駆動部１７の構成について説明する。投影ミラー駆動部１７は、図３に示すように、支持部１７１と、第１回転軸１７２と、はす歯歯車１７３と、第２回転軸１７４と、第１平歯車１７５と、ねじ歯車１７６と、第２平歯車１７７と、第３回転軸１７８と、モータ１７９と、を備える。
【００５６】
支持部１７１は、投影ミラー１８を回動自在に支持する枠部材である。支持部１７１は、略コ字形に形成されている。支持部１７１には、略四角形の投影ミラー１８が取り付けられている。支持部１７１は、支持アーム１７１ａ及び１７１ｂを備える。支持アーム１７１ａ及び１７１ｂの端部は、第１回転軸１７２に取り付けられている。支持部１７１は、第１回転軸１７２と共に回転する。
【００５７】
第１回転軸１７２は、長手方向の両端に設けられた軸受（不図示）により回転自在に支持されている。第１回転軸１７２の一端には、はす歯歯車１７３が取り付けられている。はす歯歯車１７３は、第１回転軸１７２と共に回転する。
【００５８】
第２回転軸１７４は、平面視において、第１回転軸１７２と略直交するように配置されている。第２回転軸１７４は、長手方向の両端に設けられた軸受（不図示）により回転自在に支持されている。第２回転軸１７４の一端には、ねじ歯車１７６が設けられている。ねじ歯車１７６は、第１回転軸１７２に取り付けられたはす歯歯車１７３と噛み合い、第２回転軸１７４の回転を第１回転軸１７２に伝達する。
【００５９】
はす歯歯車１７３と、ねじ歯車１７６とは、一対のウォームギヤを構成する。これによれば、ねじ歯車１７６の回転方向は、はす歯歯車１７３により第２回転軸１７４と直交する方向に変換される。従って、ねじ歯車１７６の回転と連動して、第２回転軸１７４と直交する第１回転軸１７２が回転する。また、第２回転軸１７４には、第１平歯車１７５が取り付けられている。ねじ歯車１７６及び第１平歯車１７５は、第２回転軸１７４と共に回転する。
【００６０】
第３回転軸１７８は、モータ１７９の回転軸であり、モータ１７９で発生した回転出力を伝達する。第３回転軸１７８は、平面視において、第２回転軸１７４と略平行に配置されている。第３回転軸１７８の一端には、第２平歯車１７７が取り付けられている。第２平歯車１７７は、第１平歯車１７５と噛み合い、モータ１７９の回転出力を第１平歯車１７５に伝達する。
【００６１】
モータ１７９は、支持部１７１を駆動するための回転出力を発生する駆動源である。モータ１７９の回転は、カメラＣＰＵ１０１（後述）により制御される。
【００６２】
上記のように構成された投影ミラー駆動部１７において、モータ１７９の回転出力は、第３回転軸１７８を介して、第２平歯車１７７から第１平歯車１７５に伝達される。このとき、モータ１７９の回転出力は、第２平歯車１７７と第１平歯車１７５との減速比により減速される。モータ１７９の回転出力は、第２平歯車１７７と第１平歯車１７５とで減速されることにより、低回転、高トルクの回転出力となる。
【００６３】
第１平歯車１７５の回転は、第２回転軸１７４を介して、ねじ歯車１７６に伝達される。そして、ねじ歯車１７６の回転と共に、第２回転軸１７４と直交する第１回転軸１７２が回転する。これにより、第１回転軸１７２に取り付けられた支持アーム１７１ａ、１７１ｂと共に支持部１７１が、第１回転軸１７２を中心として回転する（図中、矢印方向）。
【００６４】
投影ミラー１８は、投影位置においては、図３に実線で示すように、筐体１３の上面に対して約４５°の角度となる位置に移動する。投影ミラー１８は、投影位置においては、投影部２５から投影された再生画像の光束を撮影レンズ２４に向けて反射する。また、投影ミラー１８は、退避位置においては、図中破線で示すように、撮影レンズ２４の光軸ＯＡ（図１参照）から退避する。また、投影ミラー１８は、退避位置においては、筐体１３に形成された開口部２５ａを遮蔽する位置まで移動する。
【００６５】
再び図２を参照しながら説明する。メインミラー駆動部２６は、カメラＣＰＵ１０１からの指示に応じて、メインミラー１９を観察位置又は退避位置（図１参照）に移動する装置である。メインミラー駆動部２６の構成は、一般的なデジタル一眼レフカメラに搭載されているメインミラー駆動部と同じであるため、説明を省略する。
【００６６】
電源回路１１１は、電池１１２の電力を各部（回路、モータ等）の使用に適した電圧に変換して、各部（回路）に供給する。電源回路１１１の動作は、カメラＣＰＵ１０１によりオン／オフ状態が制御される。電源回路１１１は、オン時に、カメラ本体１０の各部に電力を供給する。また、電源回路１１１は、オフ時には、電力の供給を停止する。なお、カメラＣＰＵ１０１は、電源回路１１のオン／オフ状態に係らず、電池１１２が電池室（不図示）装填されることにより、常時電力が供給される。
【００６７】
メモリ１１３は、ＲＡＭ等の揮発性メモリにより構成される。メモリ１１３は、カメラＣＰＵ１０１によるプログラム実行時の作業用のメモリである。
【００６８】
温度センサ１１４は、投影部２５の近傍に配置された温度計である。温度センサ１１４は、検出した温度に対応する温度検出信号をカメラＣＰＵ１０１へ送出する。
【００６９】
（レンズ鏡筒１１の電気的な構成）
次に、レンズ鏡筒１１の電気的な構成を説明する。レンズ鏡筒１１は、図２に示すように、レンズＣＰＵ１１６、電源回路１１７、メモリ１１８、操作部材１１９、フォーカスレンズ駆動部１２０、ズームレンズ駆動部１２１、絞り駆動部１２２を備える。
【００７０】
レンズＣＰＵ１１６は、レンズ鏡筒１１の光量調節、焦点距離調節、焦点距離変更を制御する制御手段である。レンズＣＰＵ１１６は、マイクロプロセッサにより構成される。
【００７１】
レンズＣＰＵ１１６は、カメラＣＰＵ１０１から送出されたフォーカス調節信号に基づいて、フォーカスレンズ駆動部１２０にフォーカスレンズ駆動信号を送出する。レンズＣＰＵ１１６は、カメラＣＰＵ１０１から送出された絞り調節信号に基づいて、絞り駆動部１２２に絞り駆動信号を送出する。なお、フォーカス調節信号や絞り調節信号は、カメラマウント２７とレンズマウント２８との間に形成された制御信号通信ラインを介して送受信される。
【００７２】
また、レンズＣＰＵ１１６は、レンズ鏡筒１１の操作部材１１９から送出されたズーム調節信号に基づいて、ズームレンズ駆動部１２１にズームレンズ駆動信号を送出する。
【００７３】
なお、フォーカスレンズ２２、ズームレンズ２３及び絞りユニット２９は、上記以外の構成によっても駆動することができる。例えば、フォーカスレンズ２２及び絞りユニット２９は、所定の切り替え操作を行うことにより、使用者がレンズ鏡筒１１の操作部材１１９を手動で操作することにより駆動することができる。
【００７４】
電源回路１１７は、カメラ本体１０から電源ラインを介して供給された電力を、各部（回路、モータ等）の使用に適した電圧に変換して、各部に供給する。電源回路１１７の動作は、レンズＣＰＵ１１６によりオン／オフ状態が制御される。電源回路１１７は、オン時に、レンズ鏡筒１１の各部に電力を供給する。また、電源回路１１７は、オフ時には、電力の供給を停止する。
【００７５】
メモリ１１８は、フラッシュメモリ等の不揮発性メモリにより構成される。メモリ１１８には、レンズ鏡筒１１に固有のデータ（焦点距離、最大／最小絞り値等）が記憶されている。これらのデータは、レンズＣＰＵ１１６によりデータ信号通信ラインを介してカメラＣＰＵ１０１へ送出される。
【００７６】
操作部材１１９は、使用者の操作入力を取得する部材である。操作部材１１９は、例えば、フォーカスリング、ズームリング、絞りリング、スライドスイッチ等により構成される。操作部材１１９は、それぞれの操作入力の内容に応じた信号をレンズＣＰＵ１１６に送出する。
【００７７】
フォーカスレンズ駆動部１２０は、レンズＣＰＵ１１６から送出されたフォーカスレンズ駆動信号に基づいて、フォーカスレンズ２２を光軸ＯＡ方向に駆動する回路である。フォーカスレンズ２２の駆動量は、フォーカスレンズ駆動信号により設定される。
【００７８】
ズームレンズ駆動部１２１は、レンズＣＰＵ１１６から送出されたズームレンズ駆動信号に基づいて、ズームレンズ２３を光軸ＯＡ方向に駆動する回路である。ズームレンズ２３の駆動量は、ズームレンズ駆動信号により設定される。
【００７９】
絞り駆動部１２２は、レンズＣＰＵ１１６から送出された絞り駆動信号に基づいて、絞りユニット２９の絞り羽根（不図示）を駆動する回路である。絞り羽根の駆動量は、絞り駆動信号により設定される。
【００８０】
（光学ファインダ２１を使用した撮影）
次に、本実施形態のカメラ１において、光学ファインダ２１を使用して静止画撮影を行なう場合の動作を、図４を参照して説明する。この場合におけるカメラ１の動作モードは、光学ファインダ２１を使用した静止画撮影の撮影モードである。図４は、静止画撮影の撮影モードにおけるカメラ１の断面図である。図４において、太線の矢印（破線）は、被写体光像の光束が通過する光路を示す。
【００８１】
カメラＣＰＵ１０１は、操作部材１０４において、動作モードを静止画撮影の撮影モードに切り替える操作入力を取得した場合には、投影ミラー駆動部１７を制御して、投影ミラー１８を退避位置に移動させる。投影ミラー１８が退避位置に移動すると、筐体１３に形成された開口部２５ａは、投影ミラー１８により遮蔽される。開口部２５ａが投影ミラー１８により遮蔽されることにより、塵埃等の異物が開口部２５ａから筐体１３の内部に侵入するのを防ぐことができる。また、筐体１３の内部の音源で発生した音が外部に漏れるのを防ぐことができる。
【００８２】
次に、カメラＣＰＵ１０１は、メインミラー駆動部２６を制御して、メインミラー１９を観察位置（図中実線）に移動する。この場合、カメラ本体１０に入射した被写体光像の光束は、メインミラー１９により、ペンタプリズム２０の方向と、撮像素子１２の方向とに分割される。
【００８３】
ペンタプリズム２０の方向に分割された被写体光像の光束は、先に説明したように、ペンタプリズム２０を介して光学ファインダ２１に到達する。従って、使用者は、光学ファインダ２１を覗くことにより、撮影前の被写体光像を観察することができる。
【００８４】
また、ペンタプリズム２０の方向に分割された被写体光像の光束は、ペンタプリズム２０の近傍に設けられた測光センサ及び測光回路（不図示）により検出され、カメラＣＰＵ１０１へ送出される。このため、カメラＣＰＵ１０１は、メインミラー１９で分割された被写体光像の輝度を検出することができる。
【００８５】
一方、撮像素子１２の方向に分割された被写体光像の光束は、撮像素子１２の撮像面で撮像される。撮像素子１２で撮像された被写体光像は、先に説明したように、撮影制御回路１０２から画像データとしてカメラＣＰＵ１０１へ送出される。
【００８６】
カメラＣＰＵ１０１は、撮影制御回路１０２から送出された画像データを焦点検出演算回路１０３に送出する。焦点検出演算回路１０３は、カメラＣＰＵ１０１から送出された画像データに基づいて、位相差検出方式（又はコントラスト検出方式）により合焦位置を特定する。
【００８７】
また、カメラＣＰＵ１０１は、操作部材１０４において、撮像素子１２による撮影を指示する操作入力を取得した場合には、メインミラー駆動部２６を制御して、メインミラー１９を退避位置（図中破線）に移動する。そして、カメラＣＰＵ１０１は、撮影制御回路１０２に撮影開始指示信号を送出して、撮像素子１２に被写体光像を撮像させる。カメラＣＰＵ１０１は、被写体光像の撮像後、メインミラー駆動部２６を制御して、再びメインミラー１９を観察位置（図中実線）に移動する。
【００８８】
なお、メインミラー１９が観察位置に移動しているときに検出された焦点距離と、メインミラー１９が退避位置に移動したときの焦点距離との間には、わずかにずれを生じる場合がある。このため、被写体光像を撮像する際には、不図示の移動機構により撮像素子１２を光軸ＯＡ方向に移動、又は撮影レンズ２４の焦点距離を調節することにより、合焦位置のずれを補正することができる。
【００８９】
（光学ファインダ２１を使用しない撮影）
次に、本実施形態のカメラ１において、光学ファインダ２１を使用しないで撮影を行なう場合の動作について説明する。この場合におけるカメラ１の動作モードは、液晶モニタ１０８を使用したライブビュー撮影や動画撮影の撮影モードである。図５は、ライブビュー撮影の撮影モードにおけるカメラ１の断面図である。図５において、太線の矢印（破線）は、被写体光像の光束が通過する光路を示す。
【００９０】
カメラＣＰＵ１０１は、操作部材１０４において、動作モードをライブビュー撮影（又は動画撮影）の撮影モードに切り替える操作入力を取得した場合は、メインミラー駆動部２６を制御して、メインミラー１９を退避位置（図中破線）に移動させる。また、カメラＣＰＵ１０１は、投影ミラー駆動部１７を制御して、投影ミラー１８を退避位置に移動させる。
【００９１】
この場合、カメラ本体１０に入射した被写体光像の光束は、すべて撮像素子１２の撮像面で受光される。撮像素子１２で撮像された被写体光像は、撮影制御回路１０２から画像データとしてカメラＣＰＵ１０１へ送出される。この画像データは、液晶モニタ１０８にライブビュー画像として表示される。
【００９２】
カメラＣＰＵ１０１は、撮影制御回路１０２から送出された画像データを焦点検出演算回路１０３に転送することにより、合焦位置を特定することができる。また、カメラＣＰＵ１０１は、撮影制御回路１０２から送出された画像データに基づいて、被写体光像の輝度を検出することができる。
【００９３】
（再生画像の投影）
次に、カメラ１において、投影ミラー１８を使用して再生画像の投影を行なう場合の動作について説明する。この場合のカメラ１の動作モードは、投影モードである。図６は、投影モードにおけるカメラ１の断面図である。図６において、太線の矢印（破線）は、再生画像の光束が通過する光路を示す。
【００９４】
カメラＣＰＵ１０１は、操作部材１０４において、動作モードを投影モードに切り替える操作入力を取得した場合には、メインミラー駆動部２６を制御して、メインミラー１９を退避位置（図中実線）に移動させる。
【００９５】
また、カメラＣＰＵ１０１は、投影ミラー駆動部１７を制御して、投影ミラー１８を投影位置（図中実線）に移動させる。これにより、筐体１３の開口部２５ａが開放され、投影部２５から再生画像の投影が可能となる。
【００９６】
次に、カメラＣＰＵ１０１は、外部メモリ１０５に保存されている画像データを読み出し、投影制御回路１１０を介して液晶パネル１６に再生画像を表示させる。投影制御回路１１０は、液晶パネル１６に再生画像を表示すると共に、光源１４に駆動電流を供給する。これにより、液晶パネル１６には、光源１４から発せられた投影光が照射され、投影部２５から再生画像が投影される。この再生画像は、投影ミラー１８で反射され、撮影レンズ２４を介して外部に投影される。これにより、使用者は、再生画像を壁や天井等に投影して観賞することができる。
【００９７】
投影モードにおいて、撮像素子１２は動作しない。また、投影された再生画像のフォーカスは、使用者がレンズ鏡筒１１の操作部材１１９を手動で操作することにより行うことができる。カメラＣＰＵ１０１は、カメラ１の動作モードが投影モードに切り替えられると、フォーカスモードをマニュアルフォーカスモードに切り替える。これにより、使用者は、手動でフォーカスリングを操作することができる。ズーミングについても同様に、使用者がレンズ鏡筒１１の操作部材１１９を手動で操作することにより行うことができる。
【００９８】
なお、投影モードにおいて、カメラＣＰＵ１０１は、温度センサ１１４から送出された温度検出信号が設定温度を超えたか否かを判定する。カメラＣＰＵ１０１は、この判定において、温度検出信号が設定温度を超える場合には、再生画像の投影を中止する。そして、カメラＣＰＵ１０１は、液晶モニタ１０８にカメラ１が高温になっていることを知らせるメッセージを表示する。
【００９９】
（カメラＣＰＵ１０１の動作手順）
次に、撮影モードと投影モードにおけるカメラＣＰＵ１０１の動作手順を図７に示すフローチャートにより説明する。このフローチャートの処理は、カメラＣＰＵ１０１がプログラムメモリ（不図示）に記憶された制御プログラムを読み出すことにより実行される。
【０１００】
ステップＳ１０１において、カメラＣＰＵ１０１は、操作部材１０４から動作モードの切り替えに関する操作入力を取得する。
【０１０１】
ステップＳ１０２において、カメラＣＰＵ１０１は、切り替えられた動作モードが投影モードか撮影モードかを判定する。このステップＳ１０２において、カメラＣＰＵ１０１は、投影モードに切り替えられたと判定した場合には、ステップＳ１０３へ移行する。また、カメラＣＰＵ１０１は、撮影モードに切り替えられたと判定した場合には、ステップＳ１０７へ移行する。
【０１０２】
ステップＳ１０３において、カメラＣＰＵ１０１は、メインミラー駆動部２６を制御して、メインミラー１９を退避位置に移動させる。
【０１０３】
ステップＳ１０４において、カメラＣＰＵ１０１は、投影ミラー駆動部１７を制御して、投影ミラー１８を投影位置に移動させる。
【０１０４】
ステップＳ１０５において、カメラＣＰＵ１０１は、外部メモリ１０５から画像データを読み出し、投影制御回路１１０を介して液晶パネル１６に再生画像を表示させる。
【０１０５】
ステップＳ１０６において、カメラＣＰＵ１０１は、投影制御回路１１０を介して光源１４を点灯させ、液晶パネル１６に投影光を照射させる。これにより、投影部２５から再生画像が投影される。再生画像は、投影ミラー１８で反射され、撮影レンズ２４を介して外部に投影される。
【０１０６】
一方、ステップＳ１０７において、カメラＣＰＵ１０１は、投影ミラー駆動部１７を制御して、投影ミラー１８を退避位置に移動させる。
【０１０７】
ステップＳ１０８において、カメラＣＰＵ１０１は、メインミラー駆動部２６を制御して、メインミラー１９を観察位置に移動させる。なお、カメラＣＰＵ１０１は、メインミラー１９がすでに観察位置に移動している場合には、ステップＳ１０７の処理をスキップしてもよい。
【０１０８】
ステップＳ１０９において、カメラＣＰＵ１０１は、撮影モードに応じた撮像処理を実行する。
【０１０９】
上述した第１実施形態によれば、以下のような効果を奏する。
（１）本実施形態のカメラ１は、撮影光学系となる撮影レンズ２４を投影光学系として使用することができる。従って、カメラ１は、撮影レンズ２４の他に、投影光学系を設ける必要がない。また、撮影レンズ２４を投影光学系として使用することができるため、再生画像の焦点調節や撮影画角の調節を、レンズ鏡筒１１に設けられたフォーカスリングやズームリングで操作することができる。このため、投影光学系における個別の焦点調節や投影画角の調節機構が不要となる。従って、カメラ１によれば、機器のサイズを大きくすることなしに、画像の撮像及び投影が可能となる。
【０１１０】
（２）本実施形態のカメラ１は、撮影モードにおいて、投影ミラー１８を撮影レンズ２４の光路上から退避させる退避機構としての投影ミラー駆動部１７を備える。このため、撮影モードにおいて、観察位置又は退避位置に移動するメインミラー１９と、投影ミラー１８とが干渉するのを防ぐことができる。
【０１１１】
（３）本実施形態のカメラ１は、投影部２５を収容する内部空間を有し、投影部２５から投影された再生画像が通過する開口部２５ａが形成された筐体１３を備える。このため、投影部２５で発生した熱や騒音が外部に漏れるのを抑制することができる。また、投影モードにおいては、開口部２５ａから投影ミラー１８に向けて再生画像を投影することができる。また、筐体１３をカメラ本体１０の底面部に配置した場合には、光源１４で発生した熱を筐体１３から外部に放熱することができる。とくに、光源１４を筐体１３の底面部に配置した場合には、光源１４で発生した熱を、筐体１３の底面部から外部に効率良く放熱することができる。
【０１１２】
（４）本実施形態のカメラ１において、投影ミラー１８は、撮影レンズ２４の光路上から退避位置に移動したときに、筐体１３の開口部２５ａを遮蔽する。このため、塵埃等の異物が開口部２５ａから筐体１３の内部に侵入するのを防止することができる。また、開口部２５ａが遮蔽されていない場合に比べて、筐体１３の内部の音源で発生した音が外部に漏れるのを更に抑制することができる。
【０１１３】
（５）本実施形態のカメラ１において、筐体１３は、撮像素子１２の近傍に設けられている。このため、撮像素子１２で発生した熱を、筐体１３から外部に放熱することができる。とくに、撮像素子１２と筐体１３との間を金属部材からなる支持板３０を介して接続した場合には、撮像素子１２で発生した熱を、支持板３０を介して筐体１３に効率良く伝達することができる。
【０１１４】
（６）本実施形態のカメラ１は、投影部２５の温度を検出する温度センサ１１４を備える。また、カメラＣＰＵ１０１は、温度センサ１１４から送出された温度検出信号が設定温度を超えた場合には、再生画像の投影を中止する。このため、投影部２５の異常な温度上昇による誤動作を未然に防ぐことができる。
【０１１５】
（７）本実施形態のカメラ１において、カメラＣＰＵ１０１は、操作部材１０４において撮影モードへの切り替えを指示する操作入力を取得した場合には、撮像素子１２による撮像を制御し、操作部材１０４において投影モードへの切り替えを指示する操作入力を取得した場合には、投影部２５による再生画像の投影を制御する。このため、使用者は、撮影モードと投影モードとを簡単に切り替えることができる。
【０１１６】
（８）本実施形態のカメラ１において、撮像素子１２は、撮像用の画素と、焦点検出用の画素と、を備える。このため、一眼レフデジタルカメラとして構成した場合においては、カメラ本体１０の内部に位相差検出方式のＡＦモジュールを配置することなしに、撮像素子１２の撮像面において、焦点検出を行なうことができる。
【０１１７】
＜第２実施形態＞
次に、本発明に係る撮像装置の第２実施形態について説明する。図８は、第２実施形態におけるカメラ１Ａの概略構成を示す断面図である。図８に示すように、第２実施形態のカメラ１Ａは、カメラ本体１０Ａと、レンズ鏡筒１１と、を備える。本実施形態のカメラ１Ａは、カメラ本体１０Ａに対してレンズ鏡筒１１が着脱自在に装着されるレンズ交換式のデジタルカメラ（ミラーレス一眼カメラ）として構成されている。
【０１１８】
なお、第２実施形態の図面（図８〜図１０）では、第１実施形態と同等部分に同一符号を付して説明する。また、第１実施形態と同じ構成要件については、不図示の場合においても、適宜に図１及び図２に記載された符号を付して説明する。また、説明に支障のない範囲で適宜に符号を省略する。図８〜図１０において、符号１０１Ａは、本実施形態におけるカメラＣＰＵである。
【０１１９】
（カメラ本体１０Ａの構成）
本実施形態のカメラ本体１０Ａは、第１実施形態のカメラ本体１０と異なり、光学ファインダ２１を備えていない。使用者は、撮像素子１２で撮像された被写体光像を、液晶モニタ１０８又はビューファインダ（不図示）により観察することができる。後述するように、投影ミラー１８は、使用者が被写体光像を観察する場合には、退避位置（図中破線）に移動する。
【０１２０】
また、カメラ本体１０Ａは、光学ファインダ２１を備えていないため、第１実施形態のカメラ本体１０におけるペンタプリズム２０、メインミラー１９、及びメインミラー駆動部２６も備えていない。また、本実施形態において、撮像素子１２、投影ミラー駆動部１７、及び投影ミラー１８の構成は、第１実施形態と同じであるため説明を省略する。
【０１２１】
本実施形態の筐体１３Ａは、第１実施形態と同じ構成の開口部２５ａと、投影部２５と、を備える。更に、筐体１３Ａは、第１排気部３１と、第２排気部３２と、副筐体３３と、を備える。第１排気部３１及び第２排気部３２は、本実施形態の排気部を構成する。
【０１２２】
筐体１３Ａは、撮像素子１２の近傍に設けられている。筐体１３Ａは、金属部材からなる支持板３０を有する。撮像素子１２は、支持板３０に取り付けられている。
【０１２３】
筐体１３Ａにおいて、第１排気部３１は、ダクト３４と、ファン３５と、を備える。ダクト３４は、カメラ本体１０Ａの内部と筐体１３Ａの内部とを連通させる部分である。ダクト３４は、筐体１３Ａの外部側と内部側に、それぞれ複数の通気孔（符号を省略）を有する。ファン３５は、第１モータ（不図示）の回転出力により回転する。ファン３５が回転することにより、筐体１３Ａの内部側に負圧が発生し、カメラ本体１０Ａの内側から筐体１３Ａの内側に向けて空気が流通する。これにより、撮像素子１２の近傍に滞留する空気は、ダクト３４から筐体１３Ａの内部に向けて排気される。
【０１２４】
第２排気部３２は、ダクト３６と、ファン３７と、を備える。ダクト３６は、筐体１３Ａの内部とカメラ本体１０Ａの外部（筐体１３Ａの外部でもある）とを連通させる部分である。ダクト３６は、筐体１３Ａの外部側と内部側に、それぞれ複数の通気孔（符号を省略）を有する。ファン３７は、第２モータ（不図示）の回転出力により回転する。ファン３７が回転することにより、筐体１３Ａの内部側に負圧が発生し、筐体１３Ａの内側からカメラ本体１０Ａの外側に向けて空気が流通する。このとき空気は、排気通路３８を流通して、第２排気部３２へ運ばれる。これにより、筐体１３Ａの内部に滞留する空気は、ダクト３６から筐体１３Ａの外部に向けて排気される。
上述した第１モータ及び第２モータの回転は、カメラＣＰＵ１０１Ａにより制御される。
【０１２５】
副筐体３３は、投影部２５を収容する容器である。副筐体３３は、内部に収容された投影部２５を、筐体１３Ａの内部空間から遮断している。副筐体３３は、開口部２５ａの直下であって、第１排気部３１と第２排気部３２との間に形成された排気通路３８に設けられている。第１排気部３１と第２排気部３２との間は、排気通路３８により連通している。
【０１２６】
（液晶モニタ１０８を使用した撮影）
次に、本実施形態のカメラ１Ａにおいて、液晶モニタ１０８を使用して撮影を行なう場合の動作を、図９を参照して説明する。この場合におけるカメラ１Ａの動作モードは、静止画撮影の撮影モードである。ただし、カメラ１Ａの動作モードは、静止画撮影の撮影モードに限らず、ライブビュー撮影や動画撮影の撮影モードであっても、カメラ１Ａの動作はほぼ同じである（撮像素子１２の動作が異なる）。
【０１２７】
図９は、静止画撮影の撮影モードにおけるカメラ１Ａの断面図である。図９において、太線の矢印（破線）は、被写体光像の光束が通過する光路を示す。
【０１２８】
カメラＣＰＵ１０１Ａは、操作部材１０４において、動作モードを静止画の撮影モードに切り替える操作入力を取得した場合は、投影ミラー駆動部１７を制御して、投影ミラー１８を退避位置に移動させる。投影ミラー１８を退避位置に移動することにより、筐体１３Ａに形成された開口部２５ａは、投影ミラー１８により遮蔽される。
【０１２９】
レンズ鏡筒１１からカメラ本体１０Ａに入射した被写体光像の光束は、撮像素子１２の撮像面で撮像される。撮像素子１２で撮像された被写体光像は、先に説明したように、撮影制御回路１０２から画像データとしてカメラＣＰＵ１０１Ａへ送出される。
【０１３０】
カメラＣＰＵ１０１Ａは、撮影制御回路１０２から送出された画像データを焦点検出演算回路１０３に送出する。焦点検出演算回路１０３は、カメラＣＰＵ１０１Ａから送出された画像データに基づいて、合焦位置を特定する。また、カメラＣＰＵ１０１Ａは、撮影制御回路１０２から送出された画像データに基づいて、被写体光像の輝度を検出する。
【０１３１】
カメラＣＰＵ１０１Ａは、静止画撮影の撮影モードにおいては、第１排気部３１のファン３５及び第２排気部３２のファン３７を回転させない。
【０１３２】
（再生画像の投影）
次に、カメラ１Ａにおいて、投影ミラー１８を使用して再生画像の投影を行なう場合の動作について説明する。この場合のカメラ１Ａの動作モードは、投影モードである。図１０は、投影モードにおけるカメラ１Ａの断面図である。図１０において、太線の矢印（破線）は、再生画像の光束が通過する光路を示す。
【０１３３】
カメラＣＰＵ１０１Ａは、操作部材１０４において、動作モードを投影モードに切り替える操作入力を取得した場合には、投影ミラー駆動部１７を制御して、投影ミラー１８を投影位置（図中実線）に移動させる。
【０１３４】
投影ミラー１８を投影位置に移動することにより、筐体１３Ａの開口部２５ａが開放され、投影部２５から再生画像の投影が可能となる。カメラＣＰＵ１０１Ａは、外部メモリ１０５に保存されている画像データを読み出し、投影制御回路１１０を介して液晶パネル１６に再生画像を表示させる。投影制御回路１１０は、液晶パネル１６に再生画像を表示すると共に、光源１４に駆動電流を供給する。これにより、液晶パネル１６には、光源１４から発せられた投影光が照射され、投影部２５から再生画像が投影される。この再生画像は、投影ミラー１８で反射され、撮影レンズ２４を介して外部に投影される。これにより、使用者は、再生画像を壁や天井等に投影して観賞することができる。また、本実施形態においても、投影モードにおいては、撮像素子１２は動作しない。
【０１３５】
また、カメラＣＰＵ１０１Ａは、操作部材１０４において、動作モードを投影モードに切り替える操作入力を取得した場合には、撮影レンズ２４を所定の焦点距離に調節する。所定の焦点距離とは、例えば、光源１４から照射される投影光の視認性が十分に確保できる範囲の焦点距離である。また、所定の焦点距離は、例えば、撮影レンズ２４が過焦点（パンフォーカス）となる焦点距離であってもよい。カメラＣＰＵ１０１は、レンズＣＰＵ１１６を介してフォーカスレンズ２２を移動させることにより、撮影レンズ２４の焦点距離を調節することができる。
【０１３６】
また、所定の焦点距離とは、自動焦点調節により得られた焦点距離であってもよい。カメラＣＰＵ１０１Ａは、操作部材１０４において、自動焦点調節を開始する操作入力（例えば、レリーズボタンの半押し操作）を取得すると、投影ミラー駆動部１７を制御して、投影ミラー１８を退避位置に移動する。そして、カメラＣＰＵ１０１Ａは、撮像素子１２において撮像された画像データに基づいて合焦位置を特定し、投影面（壁、天井等）で合焦するように撮影レンズ２４の焦点距離を調節する（フォーカスレンズ２２の移動）。その後、カメラＣＰＵ１０１は、投影ミラー駆動部１７を制御して、投影ミラー１８を再び投影位置に移動させる。そして、カメラＣＰＵ１０１Ａは、投影制御回路１１０を制御して、液晶パネル１６に再生画像を投影させる。
【０１３７】
本実施形態のカメラ本体１０において、撮像素子１２と液晶パネル１６とは、カメラマウント２７に対して互いに略共役な位置に配置されている。このため、撮像素子１２で撮像された画像データに基づいて、投影面に対する撮影レンズ２４の焦点距離を調節することにより、液晶パネル１６から投影された再生画像を投影面で合焦させることができる。
【０１３８】
また、カメラＣＰＵ１０１Ａは、操作部材１０４において、動作モードを投影モードに切り替える操作入力を取得した場合には、撮影レンズ２４を通過する光束が所定の光量となるように絞りユニット２９を制御する。所定の光量とは、例えば、絞りユニット２９を絞り開放状態とすることである。投影モードでは、光源１４から照射される投影光の輝度を確保するため、出来るだけ絞り開放状態で使用することが望ましい。なお、カメラＣＰＵ１０１Ａは、自動焦点調節により検出された投影面までの距離及び画像データから演算された周囲の明るさに基づいて、絞りユニット２９における絞り値を自動で設定するようにしてもよい。
【０１３９】
また、カメラＣＰＵ１０１Ａは、操作部材１０４において、動作モードを投影モードに切り替える操作入力を取得した場合には、第１モータ（不図示）と第２モータ（不図示）とに通電し、ファン３５及び３７を回転させる。
【０１４０】
第１排気部３１のファン３５が回転すると、筐体１３Ａの内部側に負圧が発生し、カメラ本体１０Ａの内側から筐体１３Ａの内側に向けて空気が流通する。これにより、撮像素子１２の近傍に滞留する空気は、第１排気部３１のダクト３４から筐体１３Ａの内部に向けて排気される。
【０１４１】
一方、第２排気部３２のファン３７が回転すると、筐体１３Ａの内部側に負圧が発生し、筐体１３Ａの内側からカメラ本体１０Ａの外側に向けて空気が流通する。このとき、筐体１３Ａに滞留する空気は、排気通路３８を流通して、第２排気部３２へ運ばれる。この結果、筐体１３Ａの内部に滞留する空気は、第２排気部３２のダクト３６から筐体１３Ａの外部に向けて排気される。
【０１４２】
本実施形態において、撮影モードと投影モードにおけるカメラＣＰＵ１０１Ａの動作手順は、図７に示すフローチャートとほぼ同じである。相違点は、投影モードにおいて、ステップＳ１０３の処理がなく、撮影モードにおいて、ステップＳ１０８の処理がないことである。
【０１４３】
上述した第２実施形態によれば、第１実施形態の（１）、（４）〜（８）と同等の効果を奏する。また、第２実施形態によれば、以下のような効果を奏する。
【０１４４】
（９）本実施形態のカメラ１Ａは、撮影モードにおいて、投影ミラー１８を撮影レンズ２４の光路上から退避させる退避機構としての投影ミラー駆動部１７を備える。このため、撮影モードにおいて、被写体光像の光束が投影ミラー１８により遮られることがない。従って、撮像素子１２の撮像エリアを有効に利用することができる。また、撮像素子１２のサイズに制約を与えることがないため、サイズの大きな撮像素子１２を搭載することもできる。
【０１４５】
（１０）本実施形態のカメラ１Ａは、筐体１３Ａの内部から空気を排気する排気部を備える。このため、光源１４で発生した熱を筐体１３Ａから外部に放熱することができる。
【０１４６】
（１１）本実施形態のカメラ１Ａは、排気部として、第１排気部３１と、第２排気部３２と、を備える。第１排気部３１は、撮像素子１２の近傍に滞留する空気を、ダクト３４から筐体１３Ａの内部に向けて排気する。第２排気部３２は、筐体１３Ａの内部に滞留する空気を、ダクト３６から筐体１３Ａの外部に向けて排気する。このため、撮像素子１２の近傍に滞留する空気の排気効率を高めることができる。
【０１４７】
（１２）本実施形態のカメラ１Ａにおいて、筐体１３Ａは、副筐体３３を備える。副筐体３３は、投影部２５を収容すると共に、収容された投影部２５を筐体１３Ａの内部空間から遮断する。このため、筐体１３Ａの内部を空気が流通したときに、空気に混入した塵埃等の異物が投影部２５に侵入するのを防ぐことができる。また、副筐体３３を備えることにより、投影部２５で発生した音が外部にもれるのを抑制することができる。また、投影部２５を副筐体３３に収容したことにより、光源１４が空気と接する表面積を大きくすることができる。このため、投影部２５の放熱効率を高めることができる。
【０１４８】
（１３）本実施形態のカメラ１Ａにおいて、副筐体３３は、第１排気部３１と第２排気部３２との間に形成された排気通路３８に設けられている。このため、副筐体３３の外表面は、排気通路３８を流通する空気によって冷却される。従って、副筐体３３に収容された投影部２５の光源１４で発生する熱の冷却効率を高めることができる。
（１４）本実施形態のカメラ１Ａにおいて、カメラＣＰＵ１０１Ａは、動作モードを投影モードに切り替える操作入力を取得した場合には、撮影レンズ２４の焦点を所定の位置に調節する。このため、使用者が再生画像の焦点を調節する操作を簡素化することができる。
【０１４９】
（１５）本実施形態のカメラ１Ａにおいて、撮像素子１２と液晶パネル１６とは、カメラマウント２７に対して互いに略共役な位置に配置されている。このため、カメラＣＰＵ１０１Ａは、撮像素子１２で撮像された画像データに基づいて撮影レンズ２４の焦点距離を調節することにより、液晶パネル１６から投影された再生画像を投影面で合焦させることができる。これによれば、使用者が再生画像の焦点距離を調節する操作を簡素化することができる。更に、撮影レンズ２４の焦点を所定の位置に移動させた場合よりも、よりピントの合った再生画像を投影することができる。
【０１５０】
（１６）本実施形態のカメラ１Ａにおいて、カメラＣＰＵ１０１Ａは、動作モードを投影モードに切り替える操作入力を取得した場合には、撮影レンズ２４を通過する光束が所定の光量となるように絞りユニット２９を制御する。このため、使用者が再生画像の光量を調節する操作を簡素化することができる。
【０１５１】
（変形形態）
以上説明した実施形態に限定されることなく、本発明は以下に示すような種々の変形や変更が可能であり、それらも本発明の範囲内である。
【０１５２】
第１実施形態のカメラ本体１０に、第２実施形態に示す第１排気部３１、第２排気部３２を設けた構成としてもよい。また、第１実施形態の投影部２５を、第２実施形態に示す副筐体３３に収容すると共に、収容された投影部２５を筐体１３の内部空間から遮断する構成としてもよい。更に、第１実施形態に適用した副筐体３３を、第１排気部３１と第２排気部３２との間に形成された排気通路３８に設けた構成としてもよい。また、第２実施形態のカメラ本体１０Ａに、第１実施形態のカメラ本体１０に示す筐体１３の構成を適用してもよい。
【０１５３】
第１実施形態において、筐体１３の下部に放熱のためのフィン（不図示）を設けた構造としてもよい。このような構造とすることにより、筐体１３の放熱効果をより高めることができる。
【０１５４】
第２実施形態において、ファン３５（第１排気部３１）及びファン３７（第２排気部３２）は、投影モードの間、常時回転させていてもよいし、必要に応じて回転させてもよい。すなわち、温度センサ１１４で検出された投影部２５の温度が設定温度を超えた場合にのみファン３５及び３７を回転させるようにしてもよい。また、温度センサ１１４で検出された投影部２５の温度が設定温度を下回った場合には、ファン３５及び３７の回転を停止するようにしてもよい。更に、温度センサ１１４で検出された投影部２５の温度に応じて、ファン３５及び３７の回転数を調節するように構成してもよい。カメラＣＰＵ１０１Ａ（１０１）において、このような制御を行なうことにより、消費電力を抑えることができる。なお、温度センサ１１４は、投影部２５の近傍だけでなく、撮像素子１２の近傍に配置されていてもよい。
【０１５５】
第２実施形態において、いずれか一方の排気部にのみファンを設けた構成としてもよい。また、排気部にファンを設けずに、ダクトのみを設けた構成としてもよい。また、一方の排気部にファンとダクトを設け、他方の排気部はダクトのみを設けた構成としてもよい。
【０１５６】
第２実施形態において、自動焦点調節により撮影レンズ２４の焦点を所定の位置に調節する際に、カメラ本体１０Ａから投影面に対してＡＦ補助光を照射してもよい。ＡＦ補助光を照射することにより、壁や天井等のコントラストの低い投影面においても、正確に合焦位置を特定することができる。
【０１５７】
第１及び第２実施形態において、筐体１３（１３Ａ）の開口部２５ａに透明のガラス板を取り付けてもよい。このような構成とすることにより、投影モードにおいて、光源１４の熱がカメラ本体１０（１０Ａ）の内部に伝わるのを抑制することができる。
【０１５８】
第１及び第２実施形態において、手振れ補正機能を備えたレンズ鏡筒１１を用いた場合には、手振れ補正レンズをシフトすることにより、投影部２５から投影される再生画像の歪みを補正することができる。また、再生画像の歪みを補正するために、液晶パネル１６（投影部２５）の表裏面側に補正光学系を移動可能な構成としてもよい。この場合、カメラ本体１０（１０Ａ）は、装着されたレンズ鏡筒１１からレンズ情報を取得し、必要に応じて補正光学系を移動させる。また、この場合においても、補正光学系の厚みを考慮して、液晶パネル１６の表示面と撮像素子１２の撮像面とがカメラマウント２７に対して互いに略共役となる位置に配置することが望ましい。
【０１５９】
第１及び第２実施形態において、投影ミラー駆動部１７を筐体１３の内部に配置した構成としてもよい。このような構成とすることにより、投影ミラー駆動部１７が駆動した際の音が外部に漏れるのを抑制することができる。
【０１６０】
また、上記実施形態及び変形形態は適宜に組み合わせて用いることができるが、各実施形態の構成は図示と説明により明らかであるため、詳細な説明を省略する。更に、本発明は以上説明した実施形態によって限定されることはない。
【符号の説明】
【０１６１】
１，１Ａ：カメラ、１０，１０Ａ：カメラ本体、１１：レンズ鏡筒、１３，１３Ａ：筐体、１４：光源、１６：液晶パネル、１７：投影ミラー駆動部、１８：投影ミラー、１９：メインミラー、２４：撮影レンズ、２５ａ：開口部、３０：支持板、３１：第１排気部、３２：第２排気部、３３：副筐体、３８：排気通路、１０１，１０１Ａ：カメラＣＰＵ、１０４：操作部材、１０８：液晶モニタ、１１６：レンズＣＰＵ
【図１】
2013178395.tif 000003
【図２】
2013178395.tif 000004
【図３】
2013178395.tif 000005
【図４】
2013178395.tif 000006
【図５】
2013178395.tif 000007
【図６】
2013178395.tif 000008
【図７】
2013178395.tif 000009
【図８】
2013178395.tif 000010
【図９】
2013178395.tif 000011
【図１０】
2013178395.tif 000012